(57)【特許請求の範囲】
【請求項１】
照明器具と、前記照明器具に接続され、ユーザの操作に応じて前記照明器具の点灯状態を制御するライトコントローラと、ユーザの操作に応じて前記照明器具の点灯状態を制御するための制御信号をワイヤレスで送信するリモコンと、を備える照明システムであって、
前記ライトコントローラは、
前記照明器具の点灯状態を操作する操作部と、
前記リモコンから送信された、前記点灯状態を制御するための予め設定した所定コードの制御信号のみを受信する受信部と、
前記操作部の操作に応じて、又は、前記リモコンから送信された制御信号に基づいて、前記照明器具の点灯状態を制御するための制御信号を生成する制御部と、
前記生成した制御信号を前記照明器具にワイヤレスで送信する送信部と、
を具備し、
前記所定コードの制御信号は、前記照明器具の照明シーンを制御するコード、及び全ての前記照明器具を消灯制御するコードであり、
前記制御部は、前記操作部又は前記リモコンにおける全ての前記照明器具の点灯操作及び消灯操作に応じて、前記照明器具の電源をＯＮ及びＯＦＦし、
前記送信部からの制御信号の送信開始タイミングは、前記リモコンから送信された制御信号の受信期間の終了時から所定量シフトされ、
前記リモコンからの制御信号と前記送信部からの制御信号との送信間隔は拡大される照明システム。
【請求項２】
請求項１に記載の照明システムであって、
前記ライトコントローラは、
前記送信部において、
同一の前記制御信号を前記照明器具に連続して複数回送信する照明システム。
【請求項３】
請求項１または２に記載の照明システムであって、
前記ライトコントローラは、
前記送信部から前記制御信号を前記照明器具に送信している間に、
前記受信部において、
前記リモコンから送信される前記制御信号の受信を停止する照明システム。
【発明の詳細な説明】
【技術分野】
【０００１】
本発明は、照明システムに係り、特にユーザの操作するライトコントローラ及びリモコンによって、照明器具の点灯状態を制御する照明システムに関する。
【背景技術】
【０００２】
従来から、天井や壁などに取り付けられた白熱灯器具や蛍光灯器具などの照明器具を、リモコン及びライトコントローラによって遠隔制御する照明システムが知られている。
【０００３】
リモコンは、例えば、図１４に示すように、調光ボタン３１、３２と、順送り切替ボタン３３からなる操作部を備え、ユーザの操作に応じて送信部３４から赤外線信号を送信し、天井に取り付けられたシーリングライト等のリモコン蛍光灯器具の点灯状態を制御する。
【０００４】
ライトコントローラは受光部を備え、リモコンから送信された赤外線信号を受信することにより、本体に有線で接続された白熱灯器具や蛍光灯器具のＯＮ／ＯＦＦを制御する。
【０００５】
しかしながら、従来のライトコントローラには、リモコン蛍光灯器具の点灯状態を直接的に変更することができないという問題点があり、点灯状態を変更するには、新たに赤外線信号を送信するための送信部を設ける必要があった。
【０００６】
また、例えライトコントローラに送信部を備えたとしても、リモコンから受信した赤外線信号を不用意に再送信すると、リモコン蛍光灯器具がリモコンの赤外線信号と同時に受信し、順送り切り替え動作が２ステップ進んでしまうという不具合が発生する。
【発明の開示】
【発明が解決しようとする課題】
【０００７】
本発明は、上記の事情に鑑みてなされたもので、白熱灯器具の調光とリモコン蛍光灯器具の点灯状態を同時に制御することができると共に、リモコンを用いない場合でも、リモコン蛍光灯器具の点灯状態を変更することが可能なライトコントローラを提供することを目的とする。
【課題を解決するための手段】
【０００８】
本発明は、照明器具と、前記照明器具に接続され、ユーザの操作に応じて前記照明器具の点灯状態を制御するライトコントローラと、ユーザの操作に応じて前記照明器具の点灯状態を制御するための制御信号をワイヤレスで送信するリモコンと、を備える照明システムであって、前記ライトコントローラは、前記照明器具の点灯状態を操作する操作部と、前記リモコンから送信された、前記点灯状態を制御するための予め設定した所定コードの制御信号のみを受信する受信部と、前記操作部の操作に応じて、又は、前記リモコンから送信された制御信号に基づいて、前記照明器具の点灯状態を制御するための制御信号を生成する制御部と、前記生成した制御信号を前記照明器具にワイヤレスで送信する送信部と、を備え、前記所定コードの制御信号は、前記照明器具の照明シーンを制御するコード、及び全ての前記照明器具を消灯制御するコードであり、前記制御部は、前記操作部又は前記リモコンにおける全ての前記照明器具の点灯操作及び消灯操作に応じて、前記照明器具の電源をＯＮ及びＯＦＦし、前記送信部からの制御信号の送信開始タイミングは、前記リモコンから送信された制御信号の受信期間の終了時から所定量シフトされ、前記リモコンからの制御信号と前記送信部からの制御信号との送信間隔は拡大されるものである。
【０００９】
この構成により、ライトコントローラがリモコンから受信した制御信号を再送信する機能を持たせることで、電線で接続された白熱灯器具のＯＮ、ＯＦＦと、リモコン照明器具の点灯パターンをライトコントローラで操作することができる。また、リモコンの送信出力が小さい場合でも、ライトコントローラの再送信機能により、リモコン照明器具の順送り切り替えを行うことができる。
【００１１】
この構成により、ライトコントローラがリモコンから受信した制御信号を再送信する際の不具合を回避することができる。
【００１３】
この構成により、リモコンから送信された制御信号と、ライトコントローラの再送する制御信号とが重複しても、リモコン蛍光灯器具の点灯状態が変化することはない。
【００１５】
この構成により、何らかの予期しない理由によってリモコンから送信した信号がリモコン照明器具に届かない場合でも、ライトコントローラのＯＮ／ＯＦＦボタンの操作を行うことによって全ての照明器具を消灯させることができる。
【００１７】
この構成により、ライトコントローラから送信する制御信号がリモコンから送信された制御信号と干渉することがなく、リモコン蛍光灯器具の点灯状態を安定、かつ確実に制御することができる。
【００１８】
また、本発明は、上記のライトコントローラにおいて、前記ライトコントローラは、前記送信部において、同一の前記制御信号を前記照明器具に連続して複数回送信するものも含む。
【００１９】
この構成により、ライトコントローラから送信される制御信号が何らかの理由でリモコン蛍光灯器具に届きにくい場合でも、再送信信号を複数回送信することで、制御信号の不到達を回避することができ、リモコン蛍光灯器具の点灯状態を安定、かつ確実に制御することが可能となる。
【００２０】
また、本発明は、上記のライトコントローラにおいて、前記ライトコントローラは、
前記送信部から前記制御信号を前記照明器具に送信している間に、前記受信部において、前記リモコンから送信される前記制御信号の受信を停止するものも含む。
【００２１】
この構成により、ライトコントローラから制御信号を送信している間に、リモコンから送信される制御信号の受信処理を休止することで、高速処理用マイコンを使用しなくて済み、ライトコントローラを安価に製作することができる。
【発明の効果】
【００２２】
本発明によれば、白熱灯器具の調光とリモコン蛍光灯器具の点灯状態を同時に制御することができると共に、リモコンを用いない場合でも、リモコン蛍光灯器具の点灯状態を変更することが可能なライトコントローラを提供できる。
【発明を実施するための最良の形態】
【００２３】
以下、本発明の実施形態に係る照明システムについて、図面を用いて説明する。図１は本発明の実施形態に係る照明システムの概略構成を示す図である。
【００２４】
本実施形態の照明システムは、ライトコントローラ１と、リモコン２と、ライトコントローラ１とそれぞれ有線で接続される複数の白熱灯器具ＩＬ１、ＩＬ２及び複数のリモコン蛍光灯器具ＦＬ１、ＦＬ２を有する構成である。
【００２５】
白熱灯器具ＩＬ１、ＩＬ２及びリモコン蛍光灯器具ＦＬ１、ＦＬ２は、後述するように、ライトコントローラ１を介してＡＣ１００Ｖ電源が供給され、ライトコントローラ１の操作によって点灯状態が制御される。また、リモコン蛍光灯器具ＦＬ１、ＦＬ２は、リモコン２の操作に伴って送信される赤外線の制御信号によって点灯状態が制御されると共に、リモコン２から送信される制御信号を受信したライトコントローラ１が再送信する赤外線の制御信号によっても点灯状態が制御される。
【００２６】
図２は、本発明の実施形態に係るライトコントローラの概略構成を示す図である。
【００２７】
図２において、ライトコントローラ１は、スイッチング部１１と、操作部１２と、リモコン信号受信部１３と、リモコン信号送信部１４と、制御部１５を有する構成である。
【００２８】
スイッチング部１１は、ＡＣ１００Ｖ電源に接続された、例えば図３に示すようなスイッチング素子ＳＷ１〜ＳＷ４、具体的には、図４に示すようなトライアックＴＲ１〜ＴＲ４から構成され、白熱灯器具ＩＬ１、ＩＬ２を位相制御によって動作させ、リモコン蛍光灯器具ＦＬ１、ＦＬ２をＯＮ／ＯＦＦ制御によって動作させる。
【００２９】
図５は、操作部１２の概略構成を示す図であり、（ａ）はパネルを閉じた状態、（ｂ）はパネルを開いた状態を示す図である。
【００３０】
図５（ａ）、（ｂ）において、操作部１２は、照明シーン選択ボタン１２１〜１２４、電源ＯＮ／ＯＦＦボタン１２５、リモコン蛍光灯器具ＦＬ１、ＦＬ２の順送り切り替え及び調光制御を操作するためのシーソースイッチ１２６、１２７、白熱灯器具ＩＬ１、ＩＬ２の調光制御を操作するためのシーソースイッチ１２８、１２９を有する構成である。
【００３１】
リモコン受信部１３は、フォトダイオード等の受光素子から構成され、リモコン２から送信される赤外線の制御信号を受信する。リモコン受信部１３が受信する制御信号のコードは、再送信時の不具合をなくすために、例えば、図６に示すように、シーンコードと全消灯コードである。
【００３２】
不具合が起こるコードとは、図７に示すような「順送り切替」、「調光（明）」、「調光（暗）」であり、コードを受信した後の点灯状態が明確でないものである。また、不具合が起こらないコードとは、「シーン再生」、「シーン記憶」、「全消灯」など、点灯状態が明確になっているもので、リモコン蛍光灯器具ＦＬ１、ＦＬ２がこれらのコードを連続して２回受信しても、その点灯状態が変化しないものである。
【００３３】
リモコン送信部１４は、赤外線発光ダイオードから構成され、リモコン受信部１３によって受信したリモコン２の制御信号をリモコン蛍光灯器具ＦＬ１、ＦＬ２に赤外線で再送信する。
【００３４】
制御部１５は、ＣＰＵと、ＲＡＭ及びＲＯＭ等を含むマイコンシステムから構成され、ＲＯＭに記憶されたプログラムに従って動作し、操作部１２の操作に基づいて予め決められた調光レベルの範囲内で演算を行い、照明器具の明るさを制御するための調光信号のレベルを設定してスイッチング部１１のトライアックＴＲ１〜４を制御するとともに、リモコン受信部１３及びリモコン送信部１４を制御する。
【００３５】
図８は、本発明の実施形態に係るリモコンの概略構成を示す図である。同図に示すように、リモコン２は、シーン操作ボタン２１〜２４と、全消灯ボタン２５と、送信部２６を有する構成である。
【００３６】
次に、このように構成された照明システムの動作について説明する。
【００３７】
（動作例１）
まず、白熱灯器具ＩＬ１、ＩＬ２及びリモコン蛍光灯器具ＦＬ１、ＦＬ２を全消灯させる動作について説明する。
【００３８】
少なくとも１回路の照明が点灯の状態でライトコントローラ１の電源ＯＮ／ＯＦＦボタン１２５を操作すると、リモコン送信部１４から「全消灯」の制御信号がリモコン蛍光灯器具ＦＬ１、ＦＬ２に送信される。これにより、リモコン蛍光灯器具ＦＬ１、ＦＬ２が通電状態のまま消灯する。
【００３９】
白熱灯器具ＩＬ１、ＩＬ２は、ライトコントローラ１のスイッチング部１１におけるトライアックＴＲ３、４を位相制御することによって調光レベルを下げられていく。
【００４０】
、
そして、白熱灯器具ＩＬ１、ＩＬ２が完全に消灯したタイミングでリモコン蛍光灯器具ＦＬ１、ＦＬ２を制御するトライアックＴＲ１、２をＯＦＦにし、電源供給を遮断する。
【００４１】
この動作例１によれば、リモコン２から送信された制御信号がリモコン蛍光灯器具ＦＬ１、ＦＬ２に届かなかった場合においても、リモコン蛍光灯器具ＦＬ１、ＦＬ２を確実に消灯させることができる。
【００４２】
また、ライトコントローラ１の電源ＯＮ／ＯＦＦボタン１２５によって「全消灯」を操作する際に、リモコン蛍光灯器具ＦＬ１、ＦＬ２を通電状態のまま消灯させ、次いで時間をおいて電源供給を断つという２段階で消灯させることで、リモコン蛍光灯器具ＦＬ１、ＦＬ２に備えるフェードアウト機能を有効に使用することができ、白熱灯器具ＩＬ１、ＩＬ２と同時にフェードアウトさせることが可能となる。
【００４３】
（動作例２）
次に、ライトコントローラ１がリモコン２から受信した制御信号をリモコン蛍光灯器具ＦＬ１、ＦＬ２に再送信する際の動作について説明する。
【００４４】
図９（ａ）は、リモコン２からから受信した制御信号をリモコン蛍光灯器具ＦＬ１、ＦＬ２に再送信する際の状態を模式的に示す図であり、同（ｂ）は、受信した制御信号と再送信する制御信号との位相関係を示すタイミングチャートである。
【００４５】
図９（ａ）、（ｂ）において、ライトコントローラ１は、リモコン２からの制御信号を受信すると、同じ信号をリモコン２からの制御信号の終縁から５０ｍｓシフトしてリモコン蛍光灯器具ＦＬ１、ＦＬ２に再送信する。
【００４６】
また、リモコン２及びライトコントローラ１からそれぞれ送信される制御信号の間隔を、従来の７５ｍｓから１５０ｍｓに広げて設定する。これにより、リモコン２及びライトコントローラ１からそれぞれ送信される制御信号が干渉することを回避できる。
【００４７】
この動作例２によれば、リモコンから送信される制御信号がリモコン蛍光灯器具ＦＬ１、ＦＬ２に届かなくても、ライトコントローラ１から送信される制御信号をリモコン蛍光灯器具ＦＬ１、ＦＬ２に届けることができ、リモコン操作の確実性が向上する。
【００４８】
（動作例３）
ここでは、ライトコントローラ１において、リモコン２から受信した制御信号をリモコン蛍光灯器具ＦＬ１、ＦＬ２に再送信する際の別の動作について説明する。
【００４９】
図１０（ａ）は、リモコン２から受信した制御信号をリモコン蛍光灯器具ＦＬ１、ＦＬ２に再送信する際の状態を模式的に示す図であり、同（ｂ）は、受信した信号と再送信する信号との位相関係を示すタイミングチャートである。
【００５０】
図１０（ａ）、（ｂ）において、ライトコントローラ１は、リモコン２からの制御信号を受信すると、同じ信号をリモコン２からの制御信号の終縁から５０ｍｓシフトして複数回、例えば３回、リモコン蛍光灯器具ＦＬ１、ＦＬ２に向かって再送信する。このとき、信号パルスの間隔は１５０ｍｓに設定する。
【００５１】
この動作例３によれば、リモコン２からの１回だけ送信された制御信号がリモコン蛍光灯器具ＦＬ１、ＦＬ２に届かなかった場合においても、ライトコントローラ１からの１〜３回目のいずれかの制御信号が届く可能性があり、リモコン操作の確実性が向上する。
【００５２】
（動作例４）
次に、ライトコントローラ１において、操作部１２の照明シーン選択ボタン１２１〜１２４を操作した際に、制御信号をリモコン蛍光灯器具ＦＬ１、ＦＬ２に送信する動作について説明する。
【００５３】
図１１（ａ）は、照明シーン選択ボタン１２１〜１２４を操作してシーンコード制御信号を送信する際の状態を模式的に示す図であり、同（ｂ）は、ボタン操作と制御信号との位相関係を示すタイミングチャートである。
【００５４】
図１０（ａ）、（ｂ）において、照明シーン選択ボタン１２１〜１２４のいずれかを操作すると、シーンコードを複数回、例えば３回、リモコン蛍光灯器具ＦＬ１、ＦＬ２に向かって送信する。このとき、信号パルスの間隔は１５０ｍｓに設定する。
【００５５】
この動作例４によれば、１回目のシーンコードがリモコン蛍光灯器具ＦＬ１、ＦＬ２に届かなかった場合においても、２回目または３回目の信号が届く可能性があるため、操作の確実性が向上する。
【００５６】
（動作例５）
この動作例５は、リモコン２から受信した制御信号をリモコン蛍光灯器具ＦＬ１、ＦＬ２に再送信する際に、リモコン２から送信される制御信号の受信動作を一時停止するものである。
【００５７】
図１２は、リモコン２から送信される制御信号の受付動作と、ライトコントローラ１から再送信する制御信号の時間的な関係を模式的に示す図である。
【００５８】
図１２において、ライトコントローラ１から制御信号の送信中は、リモコン２から送信される制御信号の受付を休止する。これにより、ライトコントローラ１において、高速処理用のマイコンを使用しなくて済み、ライトコントローラ１を安価に構成することができる。
【００５９】
また、ライトコントローラ１から再送信する制御信号の大きな出力が、例えば図１３に示すように、リモコン信号受信部１３に回り込んでもこれを受信することがないので、リモコン蛍光灯器具ＦＬ１、ＦＬ２におけるリモコン操作の確実性が向上する。
【００６０】
以上説明したように、このような本発明の実施形態に係る照明システムによれば、ライトコントローラ本体に備えるボタン操作のみで、白熱灯器具の調光制御とリモコン蛍光灯器具の点灯制御を同時に行うことができる。
【００６１】
また、送信出力の小さいリモコンを使用する場合や、リモコンが故障した場合、或いはリモコンが手元にない場合においても、リモコン蛍光灯器具の点灯状態を変更することができる。
【産業上の利用可能性】
【００６２】
本発明の照明システムは、白熱灯器具の調光とリモコン蛍光灯器具の点灯状態を同時に制御することができると共に、リモコンを用いない場合でも、リモコン蛍光灯器具の点灯状態を変更することが可能である効果を有し、住宅や店舗における照明システム等に有用である。
【図面の簡単な説明】
【００６３】
【図１】本発明の実施形態に係る照明システムの概略構成を示す図
【図２】本発明の実施形態に係るライトコントローラの概略構成を示す図
【図３】本発明の実施形態に係るライトコントローラにおけるスイッチング素子を示す図
【図４】本発明の実施形態に係るライトコントローラにおけるトライアックを示す図
【図５】（ａ）本発明の実施形態に係るライトコントローラのパネルを閉じた状態における操作部の概略構成を示す図  （ｂ）本発明の実施形態に係るライトコントローラのパネルを開いた状態における操作部の概略構成を示す図
【図６】本発明の実施形態に係るライトコントローラにおいて、受信可能なコードを示す図
【図７】リモコン蛍光灯器具における順送り切替動作を説明するための図
【図８】本発明の実施形態に係るリモコンの概略構成を示す図
【図９】（ａ）本発明の実施形態に係るライトコントローラにおいて、リモコンから受信した制御信号をリモコン蛍光灯器具に再送信する際の状態を模式的に示す図  （ｂ）本発明の実施形態に係るライトコントローラにおいて、リモコンから受信した制御信号と再送信する制御信号の位相関係を示すタイミングチャート
【図１０】（ａ）本発明の実施形態に係るライトコントローラにおいて、リモコンから受信したシーンコードをリモコン蛍光灯器具に再送信する際の状態を模式的に示す図  （ｂ）リモコンから受信したシーンコードと再送信する制御信号の位相関係をを示すタイミングチャート
【図１１】（ａ）本発明の実施形態に係るライトコントローラにおいて、照明シーン選択ボタンを操作してシーンコードを送信する際の状態を模式的に示す図  （ｂ）本発明の実施形態に係るライトコントローラにおいて、ボタン操作信号と送信信号との位相関係を示すタイミングチャート
【図１２】本発明の実施形態に係るライトコントローラにおいて、リモコンから送信された制御信号の受け付けと、再送信する制御信号の時間的な関係を模式的に示す図
【図１３】本発明の実施形態に係るライトコントローラにおいて、再送信する制御信号の回り込みを説明するための図
【図１４】従来のリモコンの概略構成を示す図
【符号の説明】
【００６４】
１  ライトコントローラ
２  リモコン
１２  操作部
１３  リモコン信号受信部
１４  リモコン信号送信部
１５  制御部
ＩＬ１、ＩＬ２  白熱灯器具
ＦＬ１、ＦＬ２  リモコン蛍光灯器具
【図１】
0005334285.tif 000002
【図２】
0005334285.tif 000003
【図３】
0005334285.tif 000004
【図４】
0005334285.tif 000005
【図５】
0005334285.tif 000006
【図６】
0005334285.tif 000007
【図７】
0005334285.tif 000008
【図８】
0005334285.tif 000009
【図９】
0005334285.tif 000010
【図１０】
0005334285.tif 000011
【図１１】
0005334285.tif 000012
【図１２】
0005334285.tif 000013
【図１３】
0005334285.tif 000014
【図１４】
0005334285.tif 000015